(57)【要約】      （修正有）【課題】簡単な機構で、特に、チャンバボックスの接続口（ダクト接続口）とダクトとの接続作業を簡略化する。【解決手段】空調用チャンバボックス１の開口に外側から接続すべきニップル３に、前後２つの段付部３ａ，３ａを、ニップル３の筒先端部分から１つ目の段付部３ａにわたって前後方向の切欠部３ｃを形成する。開口には、プレス加工によりストレッチフランジングを形成する。【選択図】図２
0003141024.tif 000002
【実用新案登録請求の範囲】
【請求項１】
空調用チャンバボックスの接続口に外側から接続すべきニップルに、前後２つの段付部を形成するとともに、ニップルの筒先端部分から１つ目の段付部にわたって前後方向の切欠部を形成し、前記接続口に外側から差し込んだニップルの前後２つの段付部間に、前記空調用チャンバボックスの接続口に形成されているストレッチフランジングを位置せしめて前記ニップルを空調用チャンバボックスの接続口に接続・固定し、空調用のダクトは前記ニップルを介して空調用チャンバボックスの接続口に接続されることを特徴とする空調用ダクトの接続構造。
【請求項２】
接続口をシールするためのリング状のパッキンの内周側を、ストレッチフランジングの内周面と前後２つの段付部間であるニップル外周面との間に位置せしめたことを特徴とする請求項１記載の空調用ダクトの接続構造。
【請求項３】
切欠部をニップルの全周において複数均等に形成したことを特徴とする請求項１記載の空調用ダクトの接続構造。
【考案の詳細な説明】
【技術分野】
【０００１】
本考案は、空調用のダクトを空調用チャンバボックスの接続口に接続するための構造に関する。
【背景技術】
【０００２】
空調用のダクトを空調用チャンバボックスの接続口、すなわち、ダクト接続口に接続するに当っては、通常、チャンバボックスの内側から前記接続口（ダクト接続口）にニップルを差し込み、このニップルに形成されているフランジをチャンバボックスの壁面に接合させ、前記フランジをリベットでチャンバボックスに固定することにより前記ニップルをチャンバボックスに固定し、チャンバボックスの接続口（ダクト接続口）から外側に突出しているニップルにダクトを接続し、ニップルに接続したダクトをバンドで締め付けた後抜けない様にビス等を打ち込む方式を採っていた。
【考案の開示】
【考案が解決しようとする課題】
【０００３】
この場合には、部品点数が多くなるのみならず、リベット止めやビス止めなど手間が掛かることが多く、しかも、天井裏等の狭い所での作業となるため、長時間を要するという欠点がある。
【０００４】
これらの欠点を解消するために、簡単な機構で、特に、チャンバボックスの接続口（ダクト接続口）とダクトとの接続作業を簡略化するための技術が提案されている（例えば、特許文献１〜３参照）。
【０００５】
【特許文献１】登録実用新案第３０３２３６７号公報
【０００６】
【特許文献２】登録実用新案第３０５７４７４号公報
【０００７】
【特許文献３】特開２００４−３４７１８１号公報
【０００８】
これらは、ダクトをチャンバボックスの接続口（ダクト接続口）に接続するための従来の接続方式を改良したものであるが、特許文献１や特許文献３の場合には、チャンバボックスの接続口（ダクト接続口）から突出している部材があるため、チャンバボックス搬送中に突出しているこの部材が破損することがある。
【０００９】
本考案は、部品点数が多くなるのみならず、リベット止めやビス止めなど手間が掛かることが多く、しかも、天井裏等の狭い所での作業となるため、長時間を要するという従来技術の欠点を全て解消するだけでなく、チャンバボックス搬送時にはチャンバボックスから突出する部材を無くすことができるようにし、突出する部材が破損するという従来の欠点をも防止し得るようにしたものである。
【課題を解決するための手段】
【００１０】
上記目的を達成するために、本考案では、空調用チャンバボックスの接続口に外側から接続すべきニップルに、前後２つの段付部を、ニップルの筒先端部分から１つ目の段付部にわたって前後方向の切欠部を形成し、前記接続口に外側から差し込んだニップルの前後２つの段付部間に、前記空調用チャンバボックスの接続口に形成されているストレッチフランジングを位置せしめて前記ニップルを空調用チャンバボックスの接続口に接続・固定し、空調用のダクトは前記ニップルを介して空調用チャンバボックスの接続口に接続される。
【００１１】
ニップルの筒先端部分から１つ目の段付部にわたって前後方向の切欠部が形成されているため、空調用チャンバボックスの接続口に外側からニップルを押し込むと、１つ目の段付部がニップルの中心方向に収縮し、１つ目の段付部を乗り越えて２つ目の段付部との間に前記ストレッチフランジングが位置するので、ニップルは前後２つの段付部の間でこのストレッチフランジングにより保持される。したがって、空調用チャンバボックスの接続口に外側からニップルを差し込むだけで、空調用チャンバボックスの接続口にニップルをワンタッチで接続・固定できる。一方、空調用チャンバボックスの接続口へのニップルの接続を施工時に行うことができるので、チャンバボックスその他の部品搬送時にはチャンバボックスからニップルが突出しないようにすることができるから、ニップルの破損を防ぐことができる。
【００１２】
接続口をシールするためのリング状のパッキンの内周側を、ストレッチフランジングの内周面と前後２つの段付部間であるニップル外周面との間に位置せしめておくのがよい。リング状のパッキンの内周側がこの位置にあると、このパッキンでニップルの接続・固定部分がシールされ、気密性が保たれる。
【００１３】
切欠部をニップルの全周において複数均等に形成しておくことが望ましい。複数の切欠部がこのように形成されていると、空調用チャンバボックスの接続口に外側からニップルを押し込んだとき、１つ目の段付部がニップルの中心方向に均等に収縮するので、軽い力でニップルを空調用チャンバボックスの接続口に差し込むことができる。
【考案の効果】
【００１４】
請求項１記載の考案によれば、空調用チャンバボックスの接続口に外側からニップルを差し込むだけで、空調用チャンバボックスの接続口にニップルをワンタッチで接続・固定できるので、施工を簡略化できる。また、空調用チャンバボックスの接続口へのニップルの接続を施工時に行うことができるので、チャンバボックスその他の部品搬送時にはチャンバボックスからニップルが突出しないようにすることができるから、ニップルの破損を防ぐことができるという付随的効果もある。
【００１５】
請求項２記載の考案によれば、空調設備として不可欠の気密性を損なうことなく、接続状態を確実に保持できる。
【００１６】
請求項３記載の考案によれば、空調用チャンバボックスの接続口に外側からニップルを押し込んだとき、１つ目の段付部がニップルの中心方向に均等に収縮するので、軽い力でニップルを空調用チャンバボックスの接続口に差し込むことができる。
【考案を実施するための最良の形態】
【００１７】
本考案を実施するための最良の形態について、図面を参照しながら詳細に説明する。
ここに例示する空調用ダクトの接続構造は、図１に示すように、空調設備としての空調用チャンバボックス１の例えば垂直方向の壁面１ａに、接続口としての円形状の開口１ｂを形成しておき、この開口１ｂに空調用のダクト２をワンタッチで接続・固定するためのものである。
【００１８】
空調用チャンバボックス１は矩形状の中空箱体であり、この垂直方向の壁面１ａに形成されている開口１ｂ部分には、この開口１ｂを形成する際のプレス加工、バーリング加工、絞り加工等により、リング状のストレッチフランジング１ｃが形成されている。このストレッチフランジング１ｃは、図２に示すように、空調用チャンバボックス１の内側（図２の左側）に向って水平状に突出する鍔状のものである。
【００１９】
空調用チャンバボックス１の開口１ｂに空調用のダクト２を接続するに当っては、略円管状のニップル３が用いられる。このニップル３には、図１に示すように、前後２つの段付部３ａ，３ａが、また、２つ目の段付部３ａより外側（図１、図２の右側）にも別の段付部３ｂが形成されている。そして、ニップル３の筒先端部分から１つ目の段付部３ａにわたって前後方向の切欠部３ｃが形成されている。
【００２０】
ニップル３にこのような切欠部３ｃが形成されていると、空調用チャンバボックス１の開口１ｂに外側からニップル３を押し込んだとき、１つ目の段付部３ａがニップル３の中心方向に収縮し、１つ目の段付部３ａを乗り越えて２つ目の段付部３ａとの間に前記ストレッチフランジング１ｃが位置するので、ニップル３は前後２つの段付部３ａ，３ａの間でこのストレッチフランジング１ｃにより保持される。したがって、空調用チャンバボックス１の接続口である開口１ｂに外側からニップル３を差し込むだけで、空調用チャンバボックス１の接続口である開口１ｂにニップル３をワンタッチで接続・固定できる。空調用のダクト２は前記ニップル３を介して空調用チャンバボックス１の接続口である開口１ｂに接続される。
【００２１】
前後方向の切欠部３ｃは１つでもよいが、ここでは、ニップル３の筒先端部の全周において複数均等に形成されている場合を例示する。複数の切欠部３ｃ，３ｃがニップル３の筒先端部の全周において均等に形成されている場合には、空調用チャンバボックス１の接続口である開口１ｂに外側からニップル３を押し込んだとき、１つ目の段付部３ａがニップル３の中心方向に均等に収縮するので、軽い力で空調用チャンバボックス１の接続口である開口１ｂにニップル３を差し込むことができる。
【００２２】
空調用チャンバボックス１の開口１ｂ付近には、リング状のパッキン４が設けられている。このパッキン４の内周円の大きさは、前記開口１ｂの大きさより小さくしてある。したがって、上述したように、ニップル３を空調用チャンバボックス１の外側から開口１ｂに押し込んだとき、図２に示すように、リング状のパッキン４の内周側が前記ストレッチフランジング１ｃの内周面と前記両段付部３ａ，３ａ間であるニップル３の外周面との間に位置する。かくして、このリング状のパッキン４で空調用チャンバボックス１の開口１ｂへのニップル３の接続・固定部分がシールされ、気密性が保たれる。リング状のパッキン４の外周側は空調用チャンバボックス１の開口１ｂの外側であって、垂直方向の前記壁面１ａに沿わせて接合すれば、気密性がさらに向上する。
【００２３】
なお、空調用チャンバボックス１の開口１ｂに差し込まれるニップル３の１つ目の段付部３ａの外径が前記開口１ｂの内径より余り大き過ぎると、ニップル３を開口１ｂに差し込みにくくなるので、両者の大きさを適宜調整するのがよい。また、ニップル３の前後２つの段付部３ａ，３ａ間の外径が前記開口１ｂの内径より多少小さくても、両者間に位置させるパッキン４の厚さを調整することにより、両者間の隙間の気密性を保持できる。さらに、前後２つの段付部３ａ，３ａ間距離と前記ストレッチフランジング１ｃの高さとを調整することにより、両者間の隙間の気密性を保持できる。
【００２４】
一方、空調用のダクト２は長尺状の可撓性のあるフレキシブルなホースであって、前記ニップル３を介して空調用チャンバボックス１の開口１ｂに接続せしめられる。例えば、図２に示すように、空調用のダクト２の接続端部に接続用の筒体２ａが一体的に形成されている場合には、この筒体２ａを図２に示すようにニップル３の外周面に接合させ、その周囲にバンド５を巻き付けて緊締することにより、空調用のダクト２の接続端部をニップル３に極めて簡単に接続することができ、このニップル３を介して空調用チャンバボックス１の開口１ｂに空調用のダクト２を接続することができる。
【００２５】
ダクト２の接続端部を先にニップル３に接続しておき、ダクト２が接続されたニップル３を空調用チャンバボックス１の外側から開口１ｂに押し込んでもよいし、空調用チャンバボックス１の外側から開口１ｂにニップル３を押し込んで前記開口１ｂに先にニップル３を接続・固定しておき、前記開口１ｂに接続・固定されたこのニップル３に後からダクト２の接続端部を接続してもよい。
【００２６】
ここでは、空調用チャンバボックス１を矩形状の中空箱体とした場合を例示するが、その形状はそれのみに限定されるものではない。また、ダクト接続口としての開口１ｂの形状を円形、この開口１ｂに差し込まれるニップル３の形状を円管状、ダクト２の断面形状も円管状、さらに、パッキン４も円形リング状とした場合を例示するが、前記開口１ｂを他の形状とし、その形状に合わせて前記ニップル３の形状、前記ダクト２の断面形状、前記パッキン４の形状をいずれも変えることもできる。
【００２７】
なお、前記ダクト２を可撓性のあるフレキシブルなもの、即ち、自由に曲げたり、自由に伸縮させたり、あるいは、曲げたままの形状を保持し得るものとするには、例えば、合成樹脂製の単層ないし複合のシートやフィルムを用い、その内面にグラスウール、ロックウール、セラミックウールその他通常の不燃性材料からなる断熱材層を設け、さらにその内面を不織布やガラスクロスその他の材質からなるシートないしフィルムで覆って管状とすればよい。ただし、それぞれの部分の材質は、上述した材質のもののみに限定されるものではなく、空調用のダクトとして適するものであれば、適宜材質を変更することができ、断熱材層を設けない場合もある。また、図面では、前記断熱材層等の図示を省略してある。
【産業上の利用可能性】
【００２８】
ここでは、空調用チャンバボックスに空調用のダクトを接続する場合を例に挙げて本考案を説明したが、本考案はこの空調用のみに限定されるものではなく、給・排気の送風、機械設備のエアー冷却、機械の集・排塵、粉体や流体の輸送など、空調以外の用途に用いられるチャンバボックスとダクトの接続にも広く適用することができる。
【図面の簡単な説明】
【００２９】
【図１】本考案による空調用ダクトの接続構造の一例を示す分解斜視図である。
【図２】空調用チャンバボックスにニップルを介して空調用のダクトを接続した状態を示す拡大断面図である。
【符号の説明】
【００３０】
１…空調用チャンバボックス、１ｂ…開口、１ｃ…ストレッチフランジング、２…ダクト、３…ニップル、３ａ…段付部、３ｃ…切欠部、４…パッキン。
【図１】
0003141024.tif 000003
【図２】
0003141024.tif 000004